(57)【特許請求の範囲】
【請求項１】
測定管の管軸方向に２枚並んで取り付けられた円環状のＳＰリングと、
この２枚のＳＰリングに跨ってそれらの外周を覆うよう帯状に取り付けられるハウジングと、を有する電磁流量計において、
２枚の前記ＳＰリングには、外周の少なくとも一箇所に、前記ハウジングの厚さと同等の高さの段差が設けられ、
前記ハウジングは、その端部が前記段差において重ね合わされて溶接されることを特徴とする電磁流量計。
【請求項２】
前記段差は、２枚の前記ＳＰリングの外周の少なくとも２箇所に設けられ、
前記ハウジングは、円弧断面を有する少なくとも２枚の板材により形成されることを特徴とする請求項１に記載の電磁流量計。
【請求項３】
前記段差は、２枚の前記ＳＰリングの外周の対向する２箇所に設けられ、
前記ハウジングは、半円形断面を有する２枚の板材により形成されることを特徴とする請求項１に記載の電磁流量計。
【発明の詳細な説明】
【技術分野】
【０００１】
本発明は、測定管を流れる流体の流量を測定する電磁流量計に関し、更に詳しくは、電磁流量計を構成する筐体の構造に関する。
【背景技術】
【０００２】
従来の電磁流量計の構成例を、図面を用いて説明する。図３は、従来の電磁流量計の構成例を示した図である。
図３において、流体が流れる測定管１の外周には、電磁流量計１００の筐体２が帯状に形成される。
【０００３】
電磁流量計１００への電力供給およびデータ入出力を行う入出力部３は、筐体２の外周に取り付けられている。
測定管１は、両端に形成されるフランジ４により他の測定管等と接続される。
【０００４】
図４は、図３に示す筐体２の分解図である。肉厚円環であるＳＰリング２１は測定管１の管軸方向に一定間隔に２枚並んで設置される。
測定管１の外周かつ、２枚のＳＰリング２１に囲まれた領域Ａには、図示しないコイル等が巻回される。
【０００５】
半円形断面を有する２枚のハウジング２２，２３は、前記コイル等を保護するよう、２枚のＳＰリング２１に跨って、かつ、ＳＰリング２１の外周とハウジング２２，２３の内周とが概ね接するよう取り付けられる。
【０００６】
図５は、筐体２を測定管１の管軸方向から見た断面図であり、ハウジング２２，２３がＳＰリング２１の外周に取り付けられた状態を示している。
【０００７】
ＳＰリング２１の外周とハウジング２２，２３の内周とは、溶接等により接合されて封止される。また、Ｂ，Ｃは、ハウジング２２，２３の端同士が接する継目となり、溶接等により接合され封止される。
【０００８】
特許文献１には、このような電磁流量計の構成例および動作例が詳細に記載されている。
【先行技術文献】
【特許文献】
【０００９】
【特許文献１】特開平０８−３１３３１３号公報
【発明の概要】
【発明が解決しようとする課題】
【００１０】
しかしながらこのような電磁流量計１００では、ＳＰリング２１の外周長およびハウジング２２，２３の内周長それぞれに寸法公差があるためハウジング２２，２３をＳＰリング２１に取り付ける際に、ハウジング２２，２３の内周とＳＰリング２１の外周の間、または、ハウジング２２，２３の継目のＢ，Ｃに隙間が生じてしまうことがある。これら隙間を回避するためには、例えばハウジング２２，２３を大きめに作り、溶接等の接合前にＳＰリング２１の寸法に合わせてハウジング２２，２３のＢ，Ｃ付近の端部を削る作業等の、いわゆる現物合わせが必要であるという課題があった。
【００１１】
そこで本発明は、ＳＰリングの外周にハウジングの厚さ程度の段差を設け、ハウジングの端部同士を重ね合わせて接合することにより、ＳＰリングの外周長およびハウジングの内周長それぞれが有する寸法公差を吸収し、ＳＰリングの寸法に合わせてハウジングを削る等の作業、いわゆる現物合わせが不要となる電磁流量計を実現することを目的とする。
【課題を解決するための手段】
【００１２】
このような課題を解決するために、本発明のうち請求項１記載の発明は、
測定管の管軸方向に２枚並んで取り付けられた円環状のＳＰリングと、
この２枚のＳＰリングに跨ってそれらの外周を覆うよう帯状に取り付けられるハウジングと、を有する電磁流量計において、
２枚の前記ＳＰリングには、外周の少なくとも一箇所に、前記ハウジングの厚さと同等の高さの段差が設けられ、
前記ハウジングは、その端部が前記段差において重ね合わされて溶接されることを特徴とする。
【００１３】
請求項２に記載の発明は、請求項１に記載の発明であって、
前記段差は、２枚の前記ＳＰリングの外周の少なくとも２箇所に設けられ、
前記ハウジングは、円弧断面を有する少なくとも２枚の板材により形成されることを特徴とする。
【００１４】
請求項３に記載の発明は、請求項１に記載の発明であって、
前記段差は、２枚の前記ＳＰリングの外周の対向する２箇所に設けられ、
前記ハウジングは、半円形断面を有する２枚の板材により形成されることを特徴とする。
【発明の効果】
【００１５】
本発明によれば、測定管の管軸方向に並んで取り付けられた円環状の２枚のＳＰリングと、この２枚のＳＰリングに跨って、それらの外周を覆うよう帯状に取り付けられるハウジングとを有する電磁流量計において、２枚のＳＰリングには、外周の少なくとも１箇所に、ハウジングの厚さと同等の高さの段差が設けられ、ハウジングは、その端部が段差において重ね合わされて溶接等により接合されるので、ＳＰリングの寸法に合わせてハウジングを削る等の作業、いわゆる現物合わせが不要となる電磁流量計を実現することことができる。
【図面の簡単な説明】
【００１６】
【図１】本発明の一実施例を示す構成図である。
【図２】図１のＤに示す付近を拡大した図である。
【図３】測定管に取り付けられた従来の電磁流量計の構成例を示した図である。
【図４】図３に示す電磁流量計の筐体の分解図である。
【図５】図３示す装置の筐体部分の断面図である。
【発明を実施するための形態】
【００１７】
以下本発明を、図面を用いて詳細に説明する。
図１は本発明による電磁流量計の筐体部分の一実施例を、測定管１の管軸に対する断面図として示した図である。
【００１８】
図１において、測定管１の外周には、肉厚円環であるＳＰリング５１が取り付けられている。ＳＰリング５１は測定管１の管軸方向に一定間隔に２枚並んで設置される。
ＳＰリング５１の外周のＤに示す部分には、段差５１１が設けられる。また、ＳＰリング５１の外周のＤと対向するＥの部分にも、段差５１１と同様な段差５１２が設けられる。
【００１９】
半円形断面を有するハウジング５２，５３は、２枚のＳＰリング５１を跨いで、かつ、ＳＰリング５１の外周とハウジング５２，５３の内周とが概ね接するよう取り付けられる。このとき、段差５１１，５１２によりハウジング５２，５３の端部が係止するように取り付けられる。
【００２０】
図２は、図１のＤに示す付近を拡大した図である。
段差５１１の高さ（ａ）は、ハウジング５２の厚さと概ね一致しているので、Ｄ付近において、ハウジング５２の上にハウジング５３が重なり合う。
ハウジング５３の端とハウジング５２の外周とを、図２に示すＦに相当する位置で溶接等により接合し、封止する。
【００２１】
このためＳＰリング５１にハウジング５２，５３を取り付けるときに、従来例の図５のＢ，Ｃに示すようにハウジング２２，２３の端同士を正確に突き合わせる必要はなく、ハウジング５２とハウジング５３とが重なり合う領域（ｂ）があればよい。
【００２２】
ＳＰリング５１の外周長およびハウジング５２，５３の内周長の寸法公差を考慮して、ハウジングの５２，５３の内周長を一定以上確保すれば、ハウジング５２とハウジング５３とが必ず重り合うようにすることができる。
【００２３】
一方、段差５１２のＥ付近でも、図示はしないが、Ｄに示す付近と同様にハウジング５２とハウジング５３とを重ね合わせることで溶接等により接合し、封止する。
【００２４】
このように、２枚のＳＰリング５１には、外周の二箇所に、ハウジングの厚さと同等の高さの段差５１１，５１２が設けられ、ハウジング５２，５３は、段差５１１，５１２において重ね合わされて溶接等により接合されるので、ＳＰリング５１の寸法に合わせてハウジング５２，５３を削る等の作業、いわゆる現物合わせが不要となる電磁流量計を実現することことができる。
【００２５】
なお、段差は１箇所のみでもよい。この場合には、ハウジングは、１枚の板材が円筒状（ＳＰリングの外周にほぼ相当する内周を有する円筒状）に曲げられ、ハウジングの一方の端が他方の端と重なり合うよう形成されたもの等を用いる。または、２枚以上の円弧状断面の板材（円弧状断面は、ＳＰリングの外周の曲率とほぼ同一の曲率を有する）を使用してもよい。
【００２６】
また、段差は、３箇所以上に設けてもよい。この場合は、ハウジングは、段差と同数またはそれ以上の円弧状断面の板材を使用する（円弧状断面は、ＳＰリングの外周の曲率とほぼ同一の曲率を有する）。
【符号の説明】
【００２７】
１  測定管
５１  ＳＰリング
５２，５３  ハウジング
５１１，５１２  段差
【図１】
0005483197.tif 000002
【図２】
0005483197.tif 000003
【図３】
0005483197.tif 000004
【図５】
0005483197.tif 000005
【図４】
0005483197.tif 000006